(57)【要約】【課題】右打ちした場合においても適正な出球率を確保することができる遊技機を提供する。【解決手段】遊技盤２０に枠状装飾部材３１が配設される。遊技盤２０の盤面には、枠状装飾部材３１と案内レール２３とによって、該枠状装飾部材３１の左側の第１球流下経路２１と第２球流下経路２２が画成される。枠状装飾部材３１の右側の外周に、第２球流下経路２２を流下するパチンコ球が入賞可能な第２始動入賞口３４ａを有する第２始動入賞装置３４が取り付けられる。枠状装飾部材３１の右側には、第２始動入賞装置３４の上側に、第２球流下経路２２を流下するパチンコ球を回収して機裏側に通出可能な第２アウト口５２が設けられる。【選択図】図３
2014028087.tif 000002
【特許請求の範囲】
【請求項１】
遊技球が流下する遊技領域が前側に設けられた遊技盤と、前記遊技領域を流下する遊技球が入賞可能な第１始動入賞口と、該第１始動入賞口への入賞を契機として複数種類の図柄を変動させる図柄変動演出を実行する図柄表示装置と、前記遊技盤に配設され、開口部を介して図柄表示装置の表示部を前側に臨ませる枠状装飾部材とを備え、前記遊技領域は、前記枠状装飾部材の左右両側の遊技盤前側に設けられた球流下経路を有する遊技機において、
前記枠状装飾部材における右側の球流下経路に臨む外周に設けられ、該右側の球流下経路を流下する遊技球が入賞可能で、入賞を契機として前記図柄表示装置で図柄変動演出が実行される第２始動入賞口と、
前記枠状装飾部材に配設され、前記第２始動入賞口を開閉可能な開閉部材と、
前記枠状装飾部材における第２始動入賞口の上側に設けられ、前記右側の球流下経路を流下する遊技球を回収可能なアウト口とを備えた
ことを特徴とする遊技機。
【請求項２】
前記枠状装飾部材の裏側に設けられ、前記第２始動入賞口に入賞した遊技球を排出する入賞球排出経路と、
前記枠状装飾部材の裏側に設けられ、前記アウト口へ入球した遊技球を排出するアウト球排出経路とを備え、
前記アウト球排出経路は、前記開閉部材を作動する駆動手段の上方から側方に延在した後に、該駆動手段の下方において前記入賞球排出経路と並列に延在するよう構成した請求項１記載の遊技機。
【発明の詳細な説明】
【技術分野】
【０００１】
この発明は、遊技盤に配設した枠状装飾部材の左右両側を遊技球が流下可能な遊技機に関するものである。
【背景技術】
【０００２】
代表的な遊技機であるパチンコ機は、遊技盤の前面に画成した遊技領域の略中央位置に枠状の装飾部材(所謂センター役物)が配設されており、この枠状装飾部材の開口部を介して複数の図柄を変動表示して図柄変動演出を行なう液晶式やドラム式等の図柄表示装置を後方から臨ませると共に、該遊技盤における枠状装飾部材の下方位置に、パチンコ球(遊技球)の入賞により図柄表示装置での変動を開始させる始動入賞装置や大当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組合わせで停止することにより所謂大当りが発生し、前記特別入賞装置が開放して多数の賞球を獲得し得るよう構成される。
【０００３】
またパチンコ機には、大当りや確率変動のように特定の条件が発生した場合に、打球力を高めて枠状装飾部材の右側に画成されている遊技領域にパチンコ球を打ち出す、所謂「右打ち」により遊技を行なうよう構成し、受動的になりがちな遊技者に能動的な遊技を行なわせることで遊技の興趣を向上するようにしたものがある(例えば、特許文献１参照)。
【先行技術文献】
【特許文献】
【０００４】
【特許文献１】特開２００８−１０４７４７号公報
【発明の概要】
【発明が解決しようとする課題】
【０００５】
近年のパチンコ機は、前記図柄表示装置で行なわれる図柄変動演出の多様化やインパクトを高め、遊技の面白みを増大させることを目的として、前記遊技盤に対して大型の図柄表示装置が配設される傾向が強くなっている。これに伴い、図柄表示装置の表示部を前側に露出する開口部が形成される枠状装飾部材も大型化し、該枠状装飾部材と遊技盤に配設されたレール部材とで画成されるパチンコ球が流下可能な遊技領域が狭くなる傾向にある。特に、前記右打ちが行なわれるパチンコ機においては、枠状装飾部材の大型化によって該枠状装飾部材の右側に画成される遊技領域は狭くなっている。
【０００６】
ここで、右打ちが行なわれるパチンコ機において、パチンコ球が入賞する入賞口を開閉自在な開閉部材を備える始動入賞装置を、前記特許文献１のように枠状装飾部材の右側に画成される遊技領域に配設すると、該遊技領域が狭いために開閉部材が作動して入賞口を開放すると、右打ちされたパチンコ球の殆どが始動入賞装置に入賞してしまう。このため、出球率(打込球数に対する払出球数の割合)を適正とすることができなくなる不都合を生ずるおそれがあった。
【０００７】
すなわち本発明は、従来の技術に係る遊技機に内在する前記課題に鑑み、これを好適に解決するべく提案されたものであって、右打ちした場合においても適正な出球率を確保することができる遊技機を提供することを目的とする。
【課題を解決するための手段】
【０００８】
前記課題を克服し、所期の目的を達成するため、本願の請求項１に係る発明は、
遊技球が流下する遊技領域(20a)が前側に設けられた遊技盤(20)と、前記遊技領域(20a)を流下する遊技球が入賞可能な第１始動入賞口(32a)と、該第１始動入賞口(32a)への入賞を契機として複数種類の図柄を変動させる図柄変動演出を実行する図柄表示装置(18)と、前記遊技盤(20)に配設され、開口部(31a)を介して図柄表示装置(18)の表示部を前側に臨ませる枠状装飾部材(31)とを備え、前記遊技領域(20a)は、前記枠状装飾部材(31)の左右両側の遊技盤前側に設けられた球流下経路(21,22)を有する遊技機において、
前記枠状装飾部材(31)における右側の球流下経路(22)に臨む外周に設けられ、該右側の球流下経路(22)を流下する遊技球が入賞可能で、入賞を契機として前記図柄表示装置(18)で図柄変動演出が実行される第２始動入賞口(34a)と、
前記枠状装飾部材(31)に配設され、前記第２始動入賞口(34a)を開閉可能な開閉部材(35)と、
前記枠状装飾部材(31)における第２始動入賞口(34a)の上側に設けられ、前記右側の球流下経路(22)を流下する遊技球を回収可能なアウト口(52)とを備えたことを要旨とする。
【０００９】
請求項１の発明によれば、枠状装飾部材の右側に設けた第２始動入賞口の上側にアウト口を設けたことにより、第２始動入賞口を開閉する開閉部材を開放作動した状態であっても、右側の球流下経路を流下する遊技球がアウト口に入球する可能性があり、適正な出球率を確保することが可能となる。また、第２始動入賞口またはアウト口の何れに遊技球が入球するか否かについて、遊技者の関心を惹きつけることができるから、遊技の興趣を向上させ得る。
【００１０】
請求項２に係る発明では、前記枠状装飾部材(31)の裏側に設けられ、前記第２始動入賞口(34a)に入賞した遊技球を排出する入賞球排出経路(57)と、
前記枠状装飾部材(31)の裏側に設けられ、前記アウト口(52)へ入球した遊技球を排出するアウト球排出経路(60)とを備え、
前記アウト球排出経路(60)は、前記開閉部材(35)を作動する駆動手段(47)の上方から側方に延在した後に、該駆動手段(47)の下方において前記入賞球排出経路(57)と並列に延在するよう構成したことを要旨とする。
請求項２の発明によれば、アウト口へ入球した遊技球を排出するアウト球排出経路を、開閉部材を作動する駆動手段を迂回するように延在させた後に入賞球排出経路と並列に延在するよう設けたので、遊技球の排出経路をコンパクトに纏めることができる。
【発明の効果】
【００１１】
本発明に係る遊技機によれば、右打ちした場合においても適正な出球率を確保することができる。
【図面の簡単な説明】
【００１２】
【図１】本発明の実施例に係るパチンコ機を示す正面図である。
【図２】実施例のパチンコ機を、中枠に対して前枠を開放した状態で示す概略斜視図であって、前枠の透視保護板や遊技盤における案内レールの内側に配設される各種遊技部品を省略している。
【図３】実施例に係る遊技盤を示す概略正面図である。
【図４】実施例に係る遊技盤と枠状装飾部材とを分解して前側から見た概略斜視図である。
【図５】実施例に係る遊技盤と設置部材とを分離して前側から見た要部概略斜視図である。
【図６】実施例に係る遊技盤、設置部材および球排出経路部材を分解した状態で後側から見た概略斜視図である。
【図７】実施例に係る球排出経路部材を分解した状態で前側から見た概略斜視図である。
【図８】実施例に係る球排出経路部材を分解した状態で後側から見た概略斜視図であって、枠状装飾部材を一部示している。
【図９】実施例に係る枠状装飾部材におけるソレノイドの配設部位を示す要部背面図である。
【図１０】実施例に係る設置部材に配設した演出可動装置を示す要部正面図である。
【図１１】実施例に係る遊技盤に設置部材を配設した状態での要部縦断面図である。
【図１２】実施例に係る遊技盤に設置部材を配設した状態での要部横断面図であって、球排出経路部材と可動部材との関係を示している。
【図１３】実施例に係る遊技盤に設置部材を配設した状態での要部横断面図であって、球排出経路部材とソレノイドとの関係を示している。
【発明を実施するための形態】
【００１３】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１４】
(パチンコ機１０について)
実施例に係るパチンコ機１０は、図１または図２に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、各種図柄を変動表示可能な図柄表示装置１８が着脱可能に配設されている。また、前記中枠１２の前面側には、前記遊技盤２０を透視保護するガラス板や透明な合成樹脂材により形成された透視保護板１３ｂで前後に開口する窓部１３ａを覆うよう構成された前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。なお、実施例では、前記図柄表示装置１８としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。また、前記上球受け皿１４は、前記前枠１３と別体に形成してもよい。なお、球受け皿については、上下２枚の球受け皿１４,１５を備えるものに限らず、１枚の球受け皿のみを設ける構成であってもよい。
【００１５】
前記前枠１３の右下方位置には、前記中枠１２に配設された打球発射装置１６を作動する操作ハンドル１７が設けられている。前記操作ハンドル１７は、左回転方向に付勢された操作レバー１７ａを備えており、該操作レバー１７ａを右回転するよう遊技者が回動操作することで打球発射装置１６が作動されて、前記上球受け皿１４に貯留されたパチンコ球が前記遊技盤２０に向けて発射されるようになっている。ここで、前記操作レバー１７ａの回動量に応じて前記打球発射装置１６によるパチンコ球の打球力が強弱変化するよう構成されており、遊技者が操作レバー１７ａの回動量を操作することで、前記遊技盤２０に形成された第１球流下経路２１(後述)をパチンコ球が流下する所謂「左打ち」と、該遊技盤２０に形成された第２球流下経路２２(後述)をパチンコ球が流下する所謂「右打ち(ゴム打ち)」とを打ち分け得るようになっている。
【００１６】
(遊技盤２０について)
前記遊技盤２０は、図３に示すように、所定板厚の略矩形状に形成された木材板の表面に、各種絵柄等が描かれた合成樹脂シート(図示せず)等を貼付けて装飾した板部材であって、該遊技盤２０の表面(盤面)に配設された略円形状に湾曲形成する案内レール２３により、パチンコ球が流下可能な遊技領域２０ａが画成されている。また、前記遊技盤２０の裏面に、前記図柄表示装置１８が取り付けられた設置部材１９(図４参照)が配設されている。
【００１７】
前記案内レール２３は、図３に示す如く、遊技盤２０の左下部から右上部に至るよう左方向に膨出する円弧状に形成された外レール２４と、遊技盤２０の右上部、右下部および左上部に至るよう右方向に膨出する円弧状に形成された内レール２５,２６とから構成されている。前記内レール２５,２６は、外レール２４の右上端部に連接して遊技盤２０の右上部から下部に亘って配設され、左端縁が右方に凹む円弧状に形成された盤面飾り部材２５と、遊技盤２０の下部から左上部に亘って配設されて盤面飾り部材２５の下端部に連接し、前記外レール２４の右方(内側)に離間して位置するレール部材２６とから構成され、該外レール２４およびレール部材２６により１個のパチンコ球が通過可能な発射通路２３ａが画成されている。ここで、前記内レールを構成するレール部材２６は、前記遊技盤２０の左上部に開放端を臨ませて外レール２４との間に遊技領域２０ａに開口する打出し口２３ｂを画成するよう構成されて、前記打球発射装置１６から発射されたパチンコ球が発射通路２３ａの下方開口から飛翔して、レール部材２６の開放端側の打出し口２３ｂから遊技領域２０ａ内に打ち出されるようになっている。
【００１８】
図３に示す如く、前記外レール２４と盤面飾り部材２５との接続位置は、外レール２４および盤面飾り部材２５の曲率の相違から段差が形成されており、該段差部分に緩衝ゴム(減勢部)２７が配設されている。すなわち、前記外レール２４の終端位置に臨むよう緩衝ゴム２７が配設されて、前記打球発射装置１６から発射されて外レール２４に沿って終端位置まで移動して緩衝ゴム２７に当接したパチンコ球を減勢し得るようになっている。なお、前記緩衝ゴム２７は、前記第２球流下経路２２に位置している。
【００１９】
(遊技盤２０の装着口２８)
前記遊技盤２０には、図４または図６に示す如く、前後に貫通する装着口２８が前記遊技領域２０ａ内に複数開設されて、各装着口２８に対して各種部品が前側から取り付けられると共に、遊技領域２０ａの最下部位置には、該遊技領域２０ａに打ち出されたパチンコ球を排出する第１アウト口２９が開設されている。また、前記遊技盤２０には、前記遊技領域２０ａ内に多数の遊技釘３０が植設されており、遊技領域２０ａを流下するパチンコ球が遊技釘３０に接触することでパチンコ球の流下方向を不規則に変化させるようになっている。なお、前記装着口２８の形成数は、遊技盤２０に対して取り付けられる各種部品の個数や配設位置等により必要に応じて適宜決定される。
【００２０】
実施例の前記遊技盤２０には、図４に示す如く、前記案内レール２３で囲まれた遊技領域２０ａの略中央の大部分が開口する第１装着口２８に、前後に開口する開口部３１ａが形成された枠状装飾部材３１が取り付けられ、該枠状装飾部材３１の開口部３１ａを介して図柄表示装置１８の表示部が遊技盤２０の前面側に臨むよう構成されている。そして、第１装着口２８(枠状装飾部材３１)の下方に開設された第２装着口２８(図６参照)に、遊技領域２０ａ(後述する第１球流下経路２１)を流下するパチンコ球が入賞可能な第１始動入賞口３２ａを有する第１始動入賞装置３２が取り付けられ、該第２装着口２８(第１始動入賞装置３２)の右方から上方にかけて開設された第３装着口２８に、遊技領域２０ａ(後述する第２球流下経路２２)を流下するパチンコ球が入賞可能な特別入賞装置３３が取り付けられている(図１１参照)。また、実施例のパチンコ機１０では、前記枠状装飾部材３１における特別入賞装置３３の上方であって第２球流下経路２２に臨む位置に、該第２球流下経路２２を流下するパチンコ球が入賞可能な第２始動入賞口３４ａを有する第２始動入賞装置３４が取り付けられている。
【００２１】
実施例のパチンコ機１０では、前記第１始動入賞装置３２に設けられた第１始動入賞口３２ａまたは第２始動入賞装置３４に設けられた第２始動入賞口３４ａに遊技領域２０ａを流下するパチンコ球が入賞することで、前記図柄表示装置１８において図柄が変動表示されて図柄変動演出が展開され、該図柄変動演出の結果、図柄表示装置１８に所定の図柄組み合わせ(例えば同一図柄の３つ揃い等)で図柄が停止表示されることで所謂大当り(当り)が発生し、大当りの発生に伴って前記特別入賞装置３３が開放して多数の賞球を獲得し得る機会が与えられるようになっている。ここで、後述するように、前記第１始動入賞装置３２は、第１始動入賞口３２ａが遊技領域２０ａに常時開放する常時開放型の入賞装置とされ、前記第２始動入賞装置３４は、所定の開放条件および閉鎖条件(何れも後述)に従って第２始動入賞口３４ａが開閉部材３５により開閉される開閉型の入賞装置とされている。そして、前記特別入賞装置３３は、開閉体３３ａにより特別入賞口３３ｅ(図１１参照)を常には閉鎖(入賞不能状態と)するよう構成され、大当りの発生に伴って特別入賞口３３ｅを開放(入賞可能状態と)するよう構成されている。
【００２２】
(枠状装飾部材３１について)
前記遊技盤２０に配設される前記枠状装飾部材３１は、図４に示す如く、前記遊技盤２０に開設された前記第１装着口２８の内側に沿って延在する環状に形成された枠状基部３７と、該枠状基部３７に設けられて前記遊技盤２０の前面より前方に突出し、前記遊技領域２０ａと図柄表示装置１８の表示部(表示領域)を区切る庇状部３８と、該庇状部３８の後縁から外方に延出する薄板状の台板部３９とを備える。そして、前記枠状基部３７を第１装着口２８に挿入すると共に台板部３９を遊技盤２０の前面に当接した状態で、該台板部３９をネジ等の固定手段で遊技盤２０に固定することで、枠状装飾部材３１が遊技盤２０に取り付けられる。ここで、前記庇状部３８は、図３に示す如く、前記枠状装飾部材３１(枠状基部３７)の左側縁の中間位置から上縁および右下縁に亘って連続して延在するよう設けられており、図柄表示装置１８の前面側を横切ってパチンコ球が流下(落下)するのを規制している。
【００２３】
前記枠状装飾部材３１には、図３,図４に示す如く、開口部３１ａの下側に、ステージ４２が配設されると共に、開口部３１ａの左側に、遊技領域２０ａに開口して該遊技領域２０ａを流下するパチンコ球を取込んでステージ４２に案内する球導入部４３が設けられ、該球導入部４３からステージ４２に通出されたパチンコ球は、ステージ４２上を左右に転動した後に、前記第１始動入賞装置３２が配設されている遊技領域２０ａに排出される。またステージ４２の後端縁には、左右方向の全長に亘って上側に向けて所定高さで立上がる透明壁４４が設けられ、ステージ４２上を転動するパチンコ球が図柄表示装置１８の表示部側に移動するのを該透明壁４４で防止している。なお、実施例では、枠状装飾部材３１の枠状基部３７や庇状部３８の前側に、各種の意匠が施された光透過性の装飾部品４１が配設され、該装飾部品４１および透明壁４４によって前記図柄表示装置１８の表示部を前側に臨ませる開口部３１ａが画成されている。
【００２４】
前記庇状部３８は、図３に示す如く、最上部位置から左右方向に下方傾斜するよう形成されて、遊技領域２０ａに打ち出されたパチンコ球が庇状部３８上で滞ることなく前記枠状装飾部材３１の左側方または右側方へ誘導されるよう形成されている。すなわち、前記遊技盤２０に画成された遊技領域２０ａには、前記枠状装飾部材３１の左側方をパチンコ球が流下する第１球流下経路２１、および該枠状装飾部材３１の上方から右側方をパチンコ球が流下する第２球流下経路２２が設けられており、前記打出し口２３ｂから遊技領域２０ａに打ち込まれたパチンコ球は、第１球流下経路２１および第２球流下経路２２の何れかを流下するよう構成される。換言すると、前記打球発射装置１６により遊技領域２０ａ内に発射されたパチンコ球は、到達位置に応じて前記枠状装飾部材３１およびレール部材２６(内レール２５,２６)の間に形成される第１球流下経路２１か、或いは枠状装飾部材３１、外レール２４および盤面飾り部材２５(内レール２５,２６)の間に形成される第２球流下経路２２の何れかを流下する。そして、実施例に係るパチンコ機１０では、前記第１球流下経路２１をパチンコ球が流下する場合(左打ちした場合)に、パチンコ球が第２球流下経路２２を流下する場合に較べて第１始動入賞装置３２の第１始動入賞口３２ａにパチンコ球が入賞する可能性が高くなるよう構成されると共に、該第２球流下経路２２をパチンコ球が流下する場合(右打ちの場合)に、パチンコ球が第１球流下経路２１を流下する場合に較べて特別入賞装置３３の特別入賞口３３ｅや第２始動入賞装置３４の第２始動入賞口３４ａへパチンコ球が入賞する可能性が高くなるよう構成されている。なお、庇状部３８における前記開口部３１ａの上方に臨む略弧状に形成されている領域において、外レール２４との離間間隔は、パチンコ球１個分の幅寸法より大きく、かつ遊技球２個分の幅寸法より小さな幅寸設に設定されている。
【００２５】
(設置部材１９について)
前記設置部材１９は、前記遊技盤２０の外郭形状より僅かに小さな形状に形成された略矩形状の背面板４５と、該背面板４５の外周縁部から前方に突出する画壁部４６とから前方に開口した箱状に形成されて、該画壁部４６の開口前端部を遊技盤２０の裏面に当接させた状態で、当該遊技盤２０と設置部材１９とがネジにより固定される。そして、前記設置部材１９において前記遊技盤２０との間に画成される空間に、各種の可動演出装置７１や各種の発光装置７３等が設置されて、設置部材１９を基材とする１つのユニットとして扱い得るようになっている。また、前記設置部材１９の背面板４５には、前記枠状装飾部材３１の開口部３１ａと前後に整列する位置に、略矩形状の開口部１９ａが前後に開口するよう開設されると共に、該背面板４５の裏側に前記図柄表示装置１８が着脱自在に取り付けられて、該開口部１９ａを介して図柄表示装置１８の表示部が遊技盤２０の前側に臨むようになっている。
【００２６】
(第１始動入賞装置３２について)
前記第１始動入賞装置３２は、第１始動入賞口３２ａを遊技領域２０ａ内で常に上方へ開口する常時開放タイプの入賞口とされる。
【００２７】
(第２始動入賞装置３４について)
前記第２始動入賞装置３４は、図３,図５に示す如く、前記枠状装飾部材３１の右側部、すなわち前記第２球流下経路２２に臨む部位に設けられるものであって、第２始動入賞口３４ａを開閉する開閉電動式の可変入賞装置とされる。すなわち、第２始動入賞装置３４は、枠状装飾部材３１に形成されて右方向(第２球流下経路２２)に開口するよう開設された第２始動入賞口３４ａをフラップ状の開閉部材３５により閉鎖するよう構成されており、該開閉部材３５が右方向に傾倒することで、該第２始動入賞口３４ａが第２球流下経路２２内に開口するようになっている。第２始動入賞装置３４は、開閉部材３５を開閉作動する駆動手段としてのソレノイド４７を備え、該ソレノイド４７は、開閉部材３５に連繋する連繋部材４８にプランジャ４７ａの延出端が連結されて、該ソノレイド４７の励磁、非励磁によってプランジャ４７ａを進退移動することで、開閉部材３５が開閉作動されるよう構成される。ソレノイド４７は、図８,図９に示す如く、プランジャ４７ａの進退方向が遊技盤２０の盤面に沿った左右方向となる姿勢で配置されている。また、第２始動入賞口３４ａは、枠状装飾部材３１に形成された第１連絡通路４９に連通され、該第１連絡通路４９は枠状装飾部材３１の裏側で開口し、該第１裏開口４９ａが、後述する球排出経路部材５４に形成された入賞球排出経路５７の一端に連通接続される。なお、第１裏開口４９ａは、前記ソレノイド４７の配設位置より下方において、プランジャ４７ａの延出端側の下方で裏側に開口している。
【００２８】
(球通過ゲート３６について)
前記遊技盤２０には、図３に示す如く、前記枠状装飾部材３１より右側に画成されている前記第２球流下経路２２に、パチンコ球が通過可能な球通過ゲート３６が配設されている。球通過ゲート３６には、該ゲート３６をパチンコ球が通過したことを検知するゲートセンサ(図示せず)が配設される。そして、ゲートセンサが接続される図示しない制御装置は、該ゲートセンサの球検知に基づき前記第２始動入賞装置３４の開閉部材３５を開放するか否かの始動口開放抽選を行なうよう構成されている。そして、始動口開放抽選に当選した場合に、制御装置は前記第２始動入賞装置３４(ソレノイド４７)を制御して開閉部材３５を開放するよう設定される。
【００２９】
(特別入賞装置３３について)
前記特別入賞装置３３は、特別入賞口３３ｅが開閉体３３ａで常には閉鎖されており、前記図柄表示装置１８での図柄変動の結果、図柄表示装置１８の表示部に所定の図柄組み合わせ(例えば同一図柄の三つ揃い等)で図柄が停止表示されることで所謂「大当り」が発生し、これにより開閉体３３ａが開放するよう前記制御装置によって作動制御されて、特別入賞口への入賞により多数の賞球を獲得し得るようになっている。特別入賞口３３ｅは、後述する球排出経路部材５４に形成された特別入賞球排出経路５８の一端に連通接続される。なお、特別入賞装置３３を構成する装置本体３３ｂには、前記特別入賞口３３ｅより下側に、遊技領域２０ａを流下するパチンコ球が入賞可能な普通入賞口５０が設けられており(図３,図４参照)、該普通入賞口５０は、前記球排出経路部材５４に形成された普通入賞球排出経路５９の一端に連通接続される。
【００３０】
前記特別入賞装置３３の装置本体３３ｂには、前記開閉体３３ａを開閉作動する作動機構(図示せず)を収容するための空間を本体内部に画成するため、装置本体３３ｂの後壁の一部を後方に突出している。そして、装置本体３３ｂの後壁に形成された突出部分３３ｃは、装置本体３３ｂを第３装着口２８に取り付けた状態で遊技盤２０の後方に突出するようになっている。また、装置本体３３ｂには、図１１に示す如く、前記突出部分３３ｃから後方に突出する通路形成部３３ｄが設けられ、該通路形成部３３ｄに下向きに開放する開口３３ｆが設けられている。そして、特別入賞口３３ｅは、球排出経路部材５４の特別入賞球排出経路５８に開口３３ｆを介して接続されるようになっている。なお、通路形成部３３ｄには、該通路形成部３３ｄの開口３３ｅを通出するパチンコ球(特別入賞口３３ｅに入賞したパチンコ球)を検出可能な特別入賞検出スイッチ７４が配設されている。
【００３１】
(第２アウト口５２について)
前記枠状装飾部材３１には、前記第２始動入賞装置３４が配設された右側部に、第２球流下経路２２を流下するパチンコ球を回収して機裏側に通出可能な第２アウト口(アウト口)５２が、第２始動入賞装置３４の上側に設けられている。第２アウト口５２は、枠状装飾部材３１に形成された第２連絡通路５３に連通され、該第２連絡通路５３は枠状装飾部材３１の裏側で開口し、該第２裏開口５３ａが、後述する球排出経路部材５４に形成されたアウト球排出経路６０の一端に連通接続される。第２裏開口５３ａは、図９に示す如く、前記ソレノイド４７の配設位置より上方において、プランジャ４７ａの延出端側の上方において裏側に開口している。すなわち、第２裏開口５３ａは、前記第１裏開口４９ａの上方に離間して設けられている。
【００３２】
(球排出経路部材５４について)
図５に示す如く、前記設置部材１９には、前記第２始動入賞口３２ａ、特別入賞口３３ｅ、普通入賞口５０に入賞したパチンコ球(セーフ球)および第２アウト口５２に入球したパチンコ球(アウト球)を排出案内する球排出経路部材５４が配設されている。この球排出経路部材５４は、図７,図８に示す如く、設置部材１９にネジ止め固定される第１基体５５と、該第１基体５５に対して前側からネジ止め固定される第２基体５６とから構成され、両基体５５,５６を前後の関係で組み付けることで、第２始動入賞口３２ａに入賞したパチンコ球を排出案内する入賞球排出経路５７、特別入賞口３３ｅに入賞したパチンコ球を排出案内する特別入賞球排出経路５８、普通入賞口５０に入賞したパチンコ球を排出案内する普通入賞球排出経路５９および、第２アウト口５２に入球したパチンコ球を排出案内するアウト球排出経路６０が形成されるよう構成してある。なお、各入賞口３２ａ,３３ｅ,５０に対するパチンコ球の入賞および第２アウト口５２に対するパチンコ球の入球について、区別しない場合は通入という場合がある。
【００３３】
(入賞球排出経路５７について)
図７,図８に示す如く、前記球排出経路部材５４に形成される入賞球排出経路５７は、上下方向に延在するように形成されたものであって、前記第２基体５６に形成された入賞用開口５６ａを介して前方に開口し、該入賞用開口５６ａから球排出経路部材５４の下端まで延在している。球排出経路部材５４には、入賞球排出経路５７の下端で下方に向けて開口する第１排出口６１が形成され、入賞球排出経路５７を流下するパチンコ球は、第１排出口６１から機外に排出されるよう構成される。入賞球排出経路５７は、前記入賞用開口５６ａが上端で開口する第１入賞用縦通路５７ａと、該第１入賞用縦通路５７ａの下端に連通されて前記第１排出口６１が下端で開口する第２入賞用縦通路５７ｂとを備える。そして、球排出経路部材５４には、第１入賞用縦通路５７ａを流下するパチンコ球(第２始動入賞口３４ａに入賞したパチンコ球)を検出可能な前記始動入賞検出スイッチ６２が配設されている。なお、第１入賞用縦通路５７ａに対して第２入賞用縦通路５７ｂは、後方に所定量だけ偏倚して形成されており、第１入賞用縦通路５７ａは第２入賞用縦通路５７ｂに向かうにつれて後方傾斜するよう形成されている。また、第１入賞用縦通路５７ａに対して第２入賞用縦通路５７ｂは、右方に所定量だけ偏倚して形成されて前記ソレノイド４７の下方に位置しており、第１入賞用縦通路５７ａは第２入賞用縦通路５７ｂに向かうにつれて右方に傾くように形成される。すなわち、入賞球排出経路５７は、両縦通路５７ａ,５７ｂの接続部より上側の部位において、後方および右方(側方)に傾くように形成されている。
【００３４】
(アウト球排出経路６０について)
図７,図８に示す如く、前記球排出経路部材５４に形成されるアウト球排出経路６０は、前記第１基体５５に形成されたアウト用開口５５ａを介して前方に開口すると共に、該アウト用開口５５ａから右側方に向けて横方向に延在するアウト用横通路６０ａと、該アウト用横通路６０ａの右端に連通接続して下方に延在する第１アウト用縦通路６０ｂと、該第１アウト用縦通路６０ｂの下端に連通接続して下方に延在する第２アウト用縦通路６０ｃとを備える。アウト用横通路６０ａは、前記ソレノイド４７の上方を横方向に延在すると共に、第１アウト用縦通路６０ｂは、該ソレノイド４７の右方(プランジャ４７ａの延出側とは反対側の側方)を縦方向に延在するよう構成されている。また第１アウト球縦通路６０ｂは、ソレノイド４７の右方を下側に向けて所定長さ延在した後に、前記第２入賞用縦通路５７ｂに近接するように傾斜して延在し、該傾斜部分の下端部において第２アウト用縦通路６０ｃに連通するよう構成される。そして、第２アウト用縦通路６０ｃは、第１アウト用縦通路６０ｂとの連通部から所定長さ下側において、第２入賞用縦通路５７ｂに対して並列状態で下方に延在した後に、該第２入賞用縦通路５７ｂの途中に連通接続されている(図７参照)。すなわち、前記枠状装飾部材３１に形成した第２始動入賞口３４ａの上側に位置する第２アウト口５２に入球したパチンコ球を排出するアウト球排出経路６０は、該第２始動入賞口３４ａを開閉作動するためのソレノイド４７を迂回するように延在した後に、第２始動入賞口３４ａに入賞したパチンコ球を排出する入賞球排出経路５７に連通するよう構成される。従って、実施例の球排出経路部材５４では、第２始動入賞口３４ａに入賞したパチンコ球および第２アウト口５２に入球したパチンコ球は、球排出経路部材５４の下端部で集合して前記第１排出口６１から排出される。
【００３５】
前記アウト球排出経路６０では、アウト用横通路６０ａに対して第１アウト用縦通路６０ｂが後方に所定量だけ偏倚して形成されており、アウト用横通路６０ａと第１アウト用縦通路６０ｂとの接続部ではアウト球排出経路６０が下側に向かうにつれて後方傾斜するよう形成されている。また、第１アウト用縦通路６０ｂに対して第２アウト用縦通路６０ｃも後方に所定量だけ偏倚して形成されており、第１アウト用縦通路６０ｂは、第２アウト用縦通路６０ｃに向かうにつれて後方傾斜するよう形成されている。更に、第１アウト用縦通路６０ｂに対して第２アウト用縦通路６０ｃは、左方に所定量だけ偏倚して形成されて前記ソレノイド４７の下方に位置しており、第１アウト用縦通路６０ｂは第２アウト用縦通路６０ｃに向かうにつれて左方に傾くように形成される。そして、アウト球排出経路６０の第２アウト用縦通路６０ｃと、前記入賞球排出経路５７の第２入賞用縦通路５７ｂとが、前後方向の位置が揃った並列状態で上下方向に延在するよう構成される。すなわち、入賞球排出経路５７とアウト球排出経路６０とは、ソレノイド４７の左右両側の位置から下側に向かうにつれて相互に近接するよう延在して、該ソレノイド４７の下方において並列となるよう構成される。なお、第２アウト用縦通路６０ｃおよび第２入賞用縦通路５７ｂの内部には、上下方向に離間して複数の突起６３が設けられ、該突起６３にパチンコ球が接触することで流下速度を緩和するようにしてある。
【００３６】
前記球排出経路部材５４には、前記アウト球排出経路６０におけるアウト用横通路６０ａおよび第１アウト用縦通路６０ｂにより囲まれた部分に、前方に開口する収容凹部６４が画成され、該収容凹部６４に、前記ソレノイド４７が収容されるよう構成される(図１３参照)。すなわち、アウト用横通路６０ａおよび第１アウト用縦通路６０ｂは、ソレノイド４７に対して上下方向および左右方向で重なるように形成されて、該ソレノイド４７や球排出経路部材５４を配設するために遊技盤２０の後方に必要となる設置スペースを小さくし得るようなっている。なお、第１基体５５には、収容凹部６４の後面を画成する部分に複数の放熱孔６４ａが形成されており、該収容凹部６４に収容されたソレノイド４７が発する熱を該放熱孔６４ａから放熱し得るよう構成される。
【００３７】
(特別入賞球排出経路５８について)
前記球排出経路部材５４には、図７に示す如く、前記入賞球排出経路５７の左側に隣接して特別入賞球排出経路５８が上下方向に延在するよう形成されている。球排出経路部材５４には、特別入賞球排出経路５８の上端で上方に向けて開口する特別用開口６５が形成されている。そして、球排出経路部材５４を配設した設置部材１９を遊技盤２０の裏側に組み付けた状態で、図１１に示す如く、前記特別入賞装置３３の通路形成部３３ｄが特別用開口６５の上側に臨んで、該通路形成部３３ｄに開設した開口３３ｆが特別用開口６５に連通するよう構成される。すなわち、特別入賞球排出経路５８は、特別用開口６５および開口３３ｆを介して前記特別入賞装置３３の特別入賞口３３ｅに連通接続される。
【００３８】
前記球排出経路部材５４には、特別入賞球排出経路５８の下端で下方に向けて開口する第２排出口６６が前記第１排出口６１の左側に隣接して形成されており、特別入賞口３３ｅに入賞したパチンコ球は、第２排出口６６から機外に排出されるよう構成される。なお、特別入賞球排出経路５８の内部には、上下方向に離間して複数の突起６３が設けられ、該突起６３にパチンコ球が接触することで流下速度を緩和するようにしてある。
【００３９】
(普通入賞球排出経路５９について)
前記球排出経路部材５４には、図７に示す如く、前記特別入賞球排出経路５８の左側に隣接して普通入賞球排出経路５９が上下方向に延在するよう形成されている。球排出経路部材５４には、普通入賞球排出経路５９の上部で前方に向けて開口する普通用開口６７が形成されており、該普通入賞球排出経路５９は、普通用開口６７を介して前記普通入賞口５０に連通接続される。また球排出経路部材５４には、普通入賞球排出経路５９の下端で下方に向けて開口する第３排出口６８が前記第２排出口６６の左側に隣接して形成されており、普通入賞口５０に入賞したパチンコ球は、第３排出口６８から機外に排出されるよう構成される。すなわち、球排出経路部材５４には、左右方向に並んで３つの排出口６１,６６,６８が形成されている。なお、球排出経路部材５４には、普通入賞球排出経路５９を流下するパチンコ球(普通入賞口５０に入賞したパチンコ球)を検出可能な普通入賞検出スイッチ６９が配設されている。
【００４０】
(空間Ｓ１,Ｓ２について)
前記球排出経路部材５４を前記設置部材１９の背面板４５の前側に配設した状態で、前記アウト球排出経路６０におけるアウト用横通路６０ａ、第１アウト用縦通路６０ｂおよび入賞球排出経路５７における第１入賞用縦通路５７ａの形成部の裏面と、背面板４５の前面との間に上方および左側方(開口部１９ａの中央側)に開放する第１空間Ｓ１が画成される(図１１,図１２参照)。そして、背面板４５に配設した後述する可動部材７０が、該第１空間Ｓ１内を移動可能に構成されている。また、設置部材１９を遊技盤２０の裏側に配設した状態で、前記アウト球排出経路６０における第２アウト用縦通路６０ｃおよび入賞球排出経路５７における第２入賞用縦通路５７ｂの形成部の前面と遊技盤２０の裏面との間に第２空間Ｓ２が画成され、該第２空間Ｓ２に前記特別入賞装置３３における遊技盤２０の裏面から後方に突出する前記突出部分３３ｃが収容されるよう構成される(図１１参照)。なお、実施例の球排出経路部材５４では、第１入賞用縦通路５７ａと第２アウト用縦通路６０ｃとが並列に延在する上下方向の全領域の内、特別入賞装置３３の突出部分３３ｃに対応する領域が遊技盤２０の裏面から後方に離間するように折曲することで、前記第２空間Ｓ２を画成するようになっている。
【００４１】
(可動演出装置７１について)
前記設置部材１９には、前記第２球流下経路２２の裏側に臨む部分に、左右方向に往復移動自在な可動部材７０を備えた可動演出装置７１が配設されており、前記図柄表示装置１８で行なわれる図柄変動演出に合わせて可動部材７０を作動させることで、遊技の興趣を向上するよう構成してある。可動部材７０は、前記背面板４５における開口部１９ａの下端縁より上側に延在して、該背面板４５の前面に沿って左右方向に直線的に往復移動可能に支持されている。また可動演出装置７１は、図１０に示す如く、前記背面板４５における開口部１９ａの下端縁より下方に配設されて可動部材７０に連繋した駆動機構７２を備え、該駆動機構７２によって可動部材７０は、前記枠状装飾部材３１の開口部３１ａに臨んで前側に露出する第１位置と、開口部３１ａの中央側から第１位置より離れて枠状装飾部材３１および遊技盤２０の裏側に隠れる第２位置(図１２,図１３参照)との間を往復移動するよう構成される。そして、可動部材７０は、図１１に示す如く、第２位置において背面板４５と球排出経路部材５４との間に画成される前記第１空間Ｓ１に下端部が収容されるようになっている。
【００４２】
(発光装置７３について)
前記球排出経路部材５４には、第２位置に位置する可動部材７０の前方に臨む発光装置７３が配設されている。発光装置７３は、第２位置に位置する可動部材７０と前記枠状装飾部材３１の装飾部品４１との間に臨んでおり、該発光装置７３に設けたＬＥＤ等の発光体(図示せず)を点灯することで、装飾部品４１を裏側から照らして明輝させ得るよう構成される。なお、発光装置７３の厚みは、前記アウト用横通路６０ａと第１アウト用縦通路６０ｂとの前後方向の偏倚量と略同じに設定されると共に、該発光装置７３は、アウト用横通路６０ａと第１アウト用縦通路６０ｂとの段差部分の上方に延在するように配設してある(図６参照)。
【００４３】
(遊技状態について)
ここで、実施例のパチンコ機１０では、遊技が行なわれる遊技状態として３つの状態が設定されている。すなわち、パチンコ機１０において通常行なわれる通常状態と、該通常状態に較べて大当りの発生確率が高く、かつ前記第２始動入賞装置３４の第２始動入賞口３４ａへの入賞確率が高く設定された確率変動状態と、通常状態に較べて大当りの発生確率が同等で、かつ第２始動入賞装置３４の第２始動入賞口３４ａへの入賞確率が高く設定された入賞率向上状態が設定されている。そして、前記第１始動入賞口３２ａまたは第２始動入賞口３４ａへパチンコ球が入賞した際に、前記遊技状態を変更するか否かが前記制御装置で決定される。
【００４４】
また、前述したように、前記球通過ゲート３６をパチンコ球が通過したことをゲートセンサが検出したことを契機として始動口開放抽選が行なわれ、該始動口開放抽選の結果が当選の場合に、第２始動入賞口３４ａを開放するよう第２始動入賞装置３４が駆動制御される。すなわち、実施例のパチンコ機１０では、前記球通過ゲート３６のゲートセンサがパチンコ球を検出して行なわれる始動口開放抽選の結果が当選となることが、前記第２始動入賞装置３４の第２始動入賞口３４ａを開放する開放条件とされている。
【００４５】
そして、前記第２始動入賞口３４ａを開放してから所定の閉鎖条件が成立することで、該第２始動入賞口３４ａが閉鎖されるようになっている。ここで、前記第２始動入賞口３４ａを閉鎖する閉鎖条件としては、例えば前記開閉部材３５が入賞許容位置に移動してからの経過時間(第２始動入賞口３４ａの開放時間)や、第２始動入賞口３４ａへの設定数のパチンコ球の入賞等が挙げられるが、これに限られるものではない。すなわち、パチンコ機１０において入賞口を開閉する開閉式の始動入賞装置に採用される開閉部材３５の開放条件および閉鎖条件に従って第２始動入賞装置３４が駆動制御される。
【００４６】
(特定条件について)
また、実施例のパチンコ機１０では、前記第２始動入賞装置３４の第２始動入賞口３４ａを開放する開放条件および該第２始動入賞口３４ａを閉鎖する閉鎖条件は、遊技状態に応じて設定されている。すなわち、遊技状態が前記確率変動状態および入賞率向上状態の場合には、遊技状態が通常状態の場合に較べて、前記第２始動入賞装置３４の第２始動入賞口３４ａが開放され易くなるよう前記開放条件や閉鎖条件が設定されて、第２始動入賞口３４ａへの入賞率を高くするよう構成されている。具体的には、実施例では、遊技状態が前記確率変動状態および入賞率向上状態の場合には、遊技状態が通常状態の場合に較べて、前記始動口開放抽選の結果が確定するまでの時間が短くなるよう設定されると共に、第２始動入賞口３４ａの１回の開放毎の開放時間を長く設定することで、確率変動状態および入賞率向上状態における第２始動入賞口３４ａへの入賞確率を高くしている。例えば、遊技状態が通常状態の場合には、始動口開放抽選の結果が確定するまでの時間が略３０秒で、かつ第２始動入賞口３４ａの開放時間が０．１秒／１回に設定されるのに対し、遊技状態が確率変動状態および入賞率向上状態の場合には、始動口開放抽選の結果が確定するまでの時間が略２秒で、かつ第２始動入賞口３４ａの開放時間が２秒／１回に設定されている。
【００４７】
そして、前記特別入賞装置３３および第２始動入賞装置３４の夫々を、前記遊技盤２０の右側部に配置したことで、パチンコ球が第１球流下経路２１を流下する場合に較べて、前記第２球流下経路２２を流下する場合の方が、各入賞装置３３,３４に入賞し易くなっている。従って、実施例のパチンコ機１０は、特定の条件が成立した場合(大当り状態、遊技状態が確率変動遊技状態または時間短縮遊技状態となった場合)に、パチンコ球を第２球流下経路２２へ打ち出す「右打ち(ゴム打ち)」を実施し、特定条件が不成立の場合には、パチンコ球を第１球流下経路２１へ打ち出す「左打ち」を実施することで、所定の遊技が行なわれるよう構成されている。このように、遊技者が遊技状態(特定条件の成立・不成立)に応じて前記操作ハンドル１７を操作してパチンコ球の打ち出し位置を変更するよう構成することで、遊技者に能動的な遊技参加を促し、遊技の興趣を高めるようになっている。すなわち、実施例において特定条件の成立とは、パチンコ球を第２球流下経路２２へ打ち出す「右打ち(ゴム打ち)」を実施するのに適した条件の成立をいうものである。
【００４８】
(実施例の作用)
次に、前述のように構成された実施例に係るパチンコ機１０の作用につき説明する。
【００４９】
前記前枠１３の前面側に設けられた前記操作ハンドル１７の操作レバー１７ａを遊技者が回転操作すると、前記打球発射装置１６から発射されたパチンコ球が前記遊技盤２０に設けた案内レール２３により画成された発射通路２３ａを通って打出し口２３ｂから遊技領域２０ａ内に打ち出される。このとき、前記操作レバー１７ａの回動量に応じてパチンコ球の打ち出し位置が変化し、打ち出し位置に応じて遊技領域２０ａの第１球流下経路２１または第２球流下経路２２をパチンコ球が流下する。前記特定条件が成立していない状態(大当り状態、確率変動状態、入賞率向上状態となっていない状態)では、第１球流下経路２１を流下する「左打ち」となるようパチンコ球が打ち出されて、前記第１始動入賞装置３２にパチンコ球が入賞すると、前記制御装置の制御に基づいて前記図柄表示装置１８での図柄変動演出が開始され、図柄変動演出の結果、図柄表示装置１８に所定の図柄組み合わせが表示されると大当りが発生する。大当りが発生すると、図柄表示装置１８に表示された図柄組み合わせに応じて、前記遊技盤２０の右方(第２球流下経路２２)に設けられた特別入賞装置３３が開放されると共に、前記制御装置の制御に基づいて図柄表示装置１８において大当り演出が行なわれる。なお、第１始動入賞口３２ａや普通入賞口５０に入賞することなく遊技領域２０ａの最下部まで流下したパチンコ球は、前記第１アウト口２９に入球して機裏側に回収される。
【００５０】
実施例に係るパチンコ機１０では、特定条件が成立する前記大当りの発生や、確率変動状態や入賞率向上状態へ移行した際に、遊技者は操作レバー１７ａの回動量を調節してパチンコ球を第２球流下経路２２に向けて打ち出す右打ちを行なう。すなわち、遊技者は打球発射装置１６の打球力を強めるように操作レバー１７ａを右回転させるので、前記打出し口２３ｂから打ち出されたパチンコ球は、前記外レール２４に沿って枠状装飾部材３１の右側に打ち込まれる。
【００５１】
遊技者は右打ちを行なう場合、前記球通過ゲート３６にパチンコ球が多数通過することで、始動口開放抽選が数多く行なわれることを期待し、該始動口開放抽選が当選して前記開閉部材３５が作動することで第２始動入賞口３４ａが開放した場合は、該第２始動入賞口３４ａに多数のパチンコ球が入賞することを期待する。この場合において、実施例のパチンコ機１０では、前述したように枠状装飾部材３１に配設した第２始動入賞装置３４の上側に、パチンコ球を機裏側に回収する第２アウト口５２が設けられている。従って、第２始動入賞口３４ａが開放した状態では、パチンコ球が第２始動入賞口３４ａに入るのか第２アウト口５２に入るのかに遊技者の関心を惹きつけることができ、緊張感を持って遊技を行なわせることができる。
【００５２】
すなわち、第２始動入賞口３４ａを開閉する開閉部材３５を開放作動した状態であっても、第２球流下経路２２を流下するパチンコ球が第２アウト口５２に入球する可能性があり、適正な出球率を確保することが可能となる。言い替えれば、前記枠状装飾部材３１の右側に形成される第２球流下経路２２が狭くなっても適正な出球率を確保し得るので、図柄表示装置１８や枠状装飾部材３１の大型化が可能で、図柄変動演出の多様化やインパクトを高め、遊技の面白みを増大させることができる。
【００５３】
前記第２始動入賞口３４ａ、特別入賞口３３ｅおよび普通入賞口５０に入賞したパチンコ球は、前記設置部材１９に配設された球排出経路部材５４に形成された各排出経路５７,５８,５９を介して機外に排出される。また、第２アウト口５２に入球したパチンコ球は、球排出経路部材５４に形成されたアウト球排出経路６０を介して機外に排出される。すなわち、第２始動入賞口３４ａ、特別入賞口３３ｅ、普通入賞口５０および第２アウト口５２に通入したパチンコ球を機外に排出する各排出経路５７,５８,５９,６０を、１つの球排出経路部材５４に纏めて形成したので、複数の排出経路５７,５８,５９,６０を備えた球排出経路部材５４を１つのユニットとして扱うことができ、設置部材１９に対する組み付けや取り外しが容易となる。
【００５４】
前記第２始動入賞口３４ａの上側に形成される第２アウト口５２に入球したパチンコ球を機外に排出するアウト球排出経路６０を、該第２始動入賞口３４ａを開閉する開閉部材３５を作動するためのソレノイド４７の上方および側方に迂回するように延在させたので、該ソレノイド４７の後方にアウト球排出経路６０が延在するように形成する場合に比べて遊技盤２０の後方に必要となる設置スペースを小さくすることができる。また、アウト球排出経路６０は、ソレノイド４７の側方を迂回させた第１アウト用縦通路６０ｂを、該ソレノイド４７の下方に向けて斜めに延在させた後に、該第１アウト用縦通路６０ｂに連通する第２アウト用縦通路６０ｃを、前記第２始動入賞口３４ａに入賞したパチンコ球を排出する入賞球排出経路５７の第２入賞用縦通路５７ｂに並列に延在させるよう形成したので、該ソレノイド４７の下方における球排出経路部材５４をコンパクトにすることができる。また、前記ソレノイド４７は、図８,図９に示す如く、プランジャ４７ａの進退方向が遊技盤２０の盤面に沿った左右方向となる姿勢で配置されているので、ソレノイド４７の遊技盤裏方への突出寸法を抑えることができる。
【００５５】
前記球排出経路部材５４は、前記遊技盤２０に配設された特別入賞装置３３における遊技盤２０の後方への突出部分３３ｃを避けるように後方に折曲することで、遊技盤２０との間に第２空間Ｓ２を画成し、該第２空間Ｓ２に特別入賞装置３３の突出部分３３ｃを収容している(図１１参照)。すなわち、第２始動入賞口３４ａの下方に位置する特別入賞装置３３に設けられた突出部分３３ｃとの干渉を避けるために前記入賞球排出経路５７とアウト球排出経路６０とを左右方向に離間して設ける必要はなく、特別入賞装置３３の配設位置において左右方向に大きなスペースを必要としない。これにより、左右方向のスペースの有効利用を図り得る。
【００５６】
前記特別入賞装置３３の突出部分３３ｃとの干渉を避けるために入賞球排出経路５７およびアウト球排出経路６０を後方に折曲した部分より上側には、球排出経路部材５４(アウト用横通路６０ａ)と背面板４５との間に第１空間Ｓ１が画成されている。そして、前記背面板４５に配設した可動演出装置７１の可動部材７０が、該第１空間Ｓ１を移動するようになっている(図１２,図１３参照)。すなわち、球排出経路部材５４の両排出経路５７,６０の途中を後方に折曲することにより生ずる第１空間Ｓ１を、可動部材７０が移動する領域として有効利用することができる。このように実施例のパチンコ機１０では、複数の球排出経路５７,６０が形成される球排出経路部材５４を、上下方向の途中において後方に折曲することで、該折曲部の上方裏側に画成される第１空間Ｓ１を可動部材７０の収容空間として利用すると共に、折曲部の下方前側に画成される第２空間Ｓ２を特別入賞装置３３の突出部分３３ｃの収容空間として利用することができ、該球排出経路部材５４の前後のスぺースを有効に利用し得る。また、前記可動部材７０が枠状装飾部材３１や遊技盤２０の裏側に隠れる第２位置に位置する際に、前記装飾部品４１を裏側から明輝させる前記発光装置７３を、球排出経路部材５４に対してアウト用横通路６０ａと第１アウト用縦通路６０ｂとの段差部分の上方に延在するように配設したので、該発光装置７３によって前記第１空間Ｓ１が圧迫されることはなく、大型の可動部材７０を収容する空間を確保することができる。
【００５７】
(変更例)
なお、遊技機の構成としては、実施例のものに限らず、種々の変更が可能である。
(１) 実施例では、アウト球排出経路と入賞球排出経路とを下流端部で合流して１つの排出口(第１排出口)からパチンコ球を排出するよう構成したが、各排出経路が夫々独立した排出口を備えるものであってもよい。
(２) 実施例では、アウト球排出経路と入賞球排出経路とを同一部材(球排出経路部材)に形成した場合で説明したが、独立した経路部材に形成したものであってもよい。
(３) 実施例では、アウト球排出経路および入賞球排出経路を、前後方向に偏倚する複数の通路で夫々構成したが、両排出経路は、各通路が前後方向に偏倚することなく同一平面内を延在する構成を採用し得る。
(４) 実施例では、球排出経路部材に特別入賞球排出経路および普通入賞球排出経路を形成した場合で説明したが、これら特別入賞球排出経路および普通入賞球排出経路は、別の経路部材に形成するようにしてもよい。
(５) 実施例では、遊技盤を木材板で形成したが、これに限られるものではなく、遊技盤を合成樹脂材から透明または不透明に形成するようにしてもよい。
(６) 実施例では、遊技機としてパチンコ機を例示して説明したが、これに限られるものではなく、アレンジボール機やピンボール機、スロットマシン機等の各種遊技機を採用し得る。
【００５８】
遊技機に関しては、実施例から以下の技術的思想を把握することができる。
(付記１)
請求項１または２に記載の遊技機において、前記始動入賞口(32a,34a)への遊技球の入賞を契機として実行された図柄変動演出の結果に応じて遊技球の入賞が可能な状態となる特別入賞口(33e)を有する特別入賞装置(33)が、前記遊技盤(20)における前記第２始動入賞口(34a)の下方に設けられ、
前記入賞球排出経路(57)およびアウト球排出経路(60)は、両排出経路(57,60)が並列に延在する部分が特別入賞装置(33)における遊技盤(20)の後方に突出する部分を避けるように後方に折曲して形成されている。
付記１に係る遊技機では、球排出経路を特別入賞装置の後方に迂回させることで、特別入賞装置の配設位置において左右方向に大きなスペースを必要としない。
【００５９】
(付記２)
付記１に記載の遊技機において、前記遊技盤(20)における右側の球流下経路(22)の裏側に可動部材(70)が移動可能に配設され、
前記可動部材(70)は、前記入賞球排出経路(57)およびアウト球排出経路(60)の後方に折曲する部分より上側で該球排出経路(57,60)の後方に重なる位置を移動するよう構成される。
付記２に係る遊技機では、球排出経路を後方に折曲することで生ずるスペースの有効利用を図り得る。
【符号の説明】
【００６０】
１８ 図柄表示装置
２０ 遊技盤
２０ａ 遊技領域
２１ 第１球流下経路(左側の球流下経路）
２２ 第２球流下経路(右側の球流下経路）
３１ 枠状装飾部材
３１ａ 開口部
３２ａ 第１始動入賞口
３４ａ 第２始動入賞口
３５ 開閉部材
４７ ソレノイド(駆動手段)
５２ 第２アウト口(アウト口)
５７ 入賞球排出経路
６０ アウト球排出経路
【図１】
2014028087.tif 000003
【図２】
2014028087.tif 000004
【図３】
2014028087.tif 000005
【図４】
2014028087.tif 000006
【図５】
2014028087.tif 000007
【図６】
2014028087.tif 000008
【図７】
2014028087.tif 000009
【図８】
2014028087.tif 000010
【図９】
2014028087.tif 000011
【図１０】
2014028087.tif 000012
【図１１】
2014028087.tif 000013
【図１２】
2014028087.tif 000014
【図１３】
2014028087.tif 000015